(57)【要約】【課題】エネルギーの消費を抑制しつつ、閉状態における蓄光物質を含む表示部材の視認性を確保することができる開閉体装置を提供すること。【解決手段】開閉体装置１−１は、第一空間Ｓ１と第二空間Ｓ２とを連通する構造物１００に形成される開口部１０１を開放あるいは閉塞する開閉体２と、第一空間Ｓ１を形成する壁面１０４ａに形成され、開閉体２が開口部１０１を開放する開状態において開閉体２を収納する収納部３、開閉体２に設けられ、蓄光することで発光する蓄光表示部材４とを備える。蓄光表示部材４は、開状態において蓄光表示部材４が第一空間Ｓ１に露出するとともに、開閉体２が開状態から開口部１０１を閉塞する閉状態に移行することで、閉状態において第一空間Ｓ１を形成する開閉体２の面である第一面２２側に蓄光表示部材４が向かって変化し、開状態において第一空間Ｓ１に露出する部分の少なくとも一部が閉状態において第一空間Ｓ１に露出する。【選択図】図１
2013174109.tif 000002
【特許請求の範囲】
【請求項１】
開閉方向に移動することによって、第一空間と第二空間とを連通する構造物に形成される開口部を開放あるいは閉塞する開閉体と、
前記第一空間を形成する壁面に形成され、前記開閉体が前記開口部を開放する開状態において前記開閉体を収納する収納部と、
前記開閉体に設けられ、蓄光することで発光する蓄光表示部材と、
を備え、
前記蓄光表示部材は、前記開状態において前記蓄光表示部材が第一空間に露出するとともに、前記開閉体が前記開状態から前記開口部を閉塞する閉状態に移行することで、前記閉状態において前記第一空間を形成する前記開閉体の面である第一面側に前記蓄光表示部材が向かって変化し、前記開状態において前記第一空間に露出する部分の少なくとも一部が前記閉状態において前記第一空間に露出することを特徴とする開閉体装置。
【請求項２】
請求項１に記載の開閉体装置において、
前記蓄光表示部材は、変形可能なシート状に形成されており、前記開閉体に対して前記蓄光表示部材が延設される方向と直交する平面における一方の端部が前記第二面に固定され、前記他方の端部が前記閉状態において前記第二空間を形成する前記開閉体の面である第一面に固定され、前記開閉体と前記蓄光表示部材との間に空間部が形成されている開閉体装置。
【請求項３】
請求項１に記載の開閉体装置において、
前記蓄光表示部材は、前記開閉体に対して前記蓄光表示部材が延設される方向と直交する平面における両端部の間に弾性変形部を有し、一方の端部が前記第二面に固定され、他方の端部が前記開状態において前記壁面に接触することで、前記弾性変形部を弾性変形させて、前記収納部よりも前記第一空間側に位置し、前記閉状態において前記弾性変形部が弾性復帰することで、前記第一空間に露出する位置となる開閉体装置。
【請求項４】
請求項１に記載の開閉体装置において、
前記蓄光表示部材は、弾性部材を介して前記開閉体に設けられており、前記開状態において前記壁面に接触することで、前記弾性部材を弾性変形させて、前記第二面と対向するとともに前記収納部よりも前記第一空間側に位置し、前記閉状態において前記弾性部材が弾性復帰することで、前記第一面と対向するとともに前記第一空間に露出する位置となる開閉体装置。
【請求項５】
請求項１〜３のいずれか１つに記載の開閉体装置において、
前記一方の端部は、前記閉状態において前記第二空間を形成する前記開閉体の面である第二面のうち、前記閉状態において前記第二空間に露出する位置に固定されている開閉体装置。
【請求項６】
請求項１〜４のいずれか１つに記載の開閉体装置において、
前記閉状態において前記第二空間を形成する前記開閉体の面である第二面に設けられ、蓄光することで発光する第二面側蓄光表示部材をさらに備える開閉体装置。
【発明の詳細な説明】
【技術分野】
【０００１】
本発明は、開閉体装置に関する。
【背景技術】
【０００２】
従来、防火戸等の開閉体に非常口表示等の表示部材を設ける技術が知られている。例えば、特許文献１には、表示部材の少なくとも一部を蓄光体を用いて形成し、開閉体が出入口部から出される際に蓄光体に光を照射するように構成した開閉体装置の技術が開示されている。
【先行技術文献】
【特許文献】
【０００３】
【特許文献１】特開２０１０−１３３１３９号公報
【発明の概要】
【発明が解決しようとする課題】
【０００４】
ここで、従来の開閉体装置においては、構造物の開口部を開放した開閉体を収納部に収納するものがある。このような開閉体装置では、収納部に収納された状態の開閉体のうち外部に露出しない部分に蓄光により光を発光する蓄光表示部材が設けられている場合は、開口部を開放する開状態において光が蓄光表示部材に当たらず蓄光が不十分となり、開口部を閉塞する閉状態において蓄光表示部材の視認性が確保できない虞がある。そこで、開状態において表示部材に光を照射するために光源を設けることも考えられるが、エネルギーが消費されることとなる。
【０００５】
本発明は、上記に鑑みてなされたものであって、エネルギーの消費を抑制しつつ、閉状態における蓄光表示部材の視認性を確保することができる開閉体装置を提供することを目的とするものである。
【課題を解決するための手段】
【０００６】
上述した課題を解決し、目的を達成するために、本発明は、開閉方向に移動することによって、第一空間と第二空間とを連通する構造物に形成される開口部を開放あるいは閉塞する開閉体と、前記第一空間を形成する壁面に形成され、前記開閉体が前記開口部を開放する開状態における前記開閉体を収納する収納部と、前記開閉体に設けられ、蓄光することで発光する蓄光表示部材と、を備え、前記蓄光表示部材は、前記開状態において前記蓄光表示部材が第一空間に露出するとともに、前記開閉体が前記開状態から前記開口部を閉塞する閉状態に移行することで、前記閉状態において前記第一空間を形成する前記開閉体の面である第一面側に前記蓄光表示部材が向かって変化し、前記開状態において前記第一空間に露出する部分の少なくとも一部が前記閉状態において前記第一空間に露出することを特徴とする。
【０００７】
上記開閉体装置では、開状態において蓄光表示部材が第一空間に露出することで、第一空間に照射される光を蓄光し、開状態において第一空間に露出する部分の少なくとも一部が閉状態において第一空間に露出して発光するので、エネルギーの消費を抑制しつつ、閉状態における蓄光表示部材の視認性を確保することができる。
【０００８】
また、上記開閉体装置において、前記蓄光表示部材は、変形可能なシート状に形成されており、前記開閉体に対して前記蓄光表示部材が延設される方向と直交する平面における一方の端部が前記第二面に固定され、前記他方の端部が前記閉状態において前記第二空間を形成する前記開閉体の面である第一面に固定され、前記開閉体と前記蓄光表示部材との間に空間部が形成されていることが好ましい。
【０００９】
上記開閉体装置では、蓄光表示部材の両端部が空間部を有して開閉体に固定されているので、開状態において蓄光表示部材が第一空間に露出することで、第一空間に照射される光を蓄光し、開閉体が開状態から開口部を閉塞する開状態に移行することで、第一面側に蓄光表示部材が向かって変形して、開状態において第一空間に露出する部分の少なくとも一部が閉状態において第一空間に露出するので、蓄光表示部材を簡単な構成とすることができる。
【００１０】
また、上記開閉体装置において、前記蓄光表示部材は、前記開閉体に対して前記蓄光表示部材が延設される方向と直交する平面における両端部の間に弾性変形部を有し、一方の端部が前記第二面に固定され、他方の端部が前記開状態において前記壁面に接触することで、前記弾性変形部を弾性変形させて、前記収納部よりも前記第一空間側に位置し、前記閉状態において前記弾性変形部が弾性復帰することで、前記第一空間に露出する位置となることが好ましい。
【００１１】
上記開閉体装置では、他方の端部が弾性変形部を介して、第二面に固定された一方の端部と接続されているので、開状態において弾性変形部が弾性変形して他方の端部が第一空間に露出することで、第一空間に照射される光を蓄光し、開閉体が開状態から開口部を閉塞する開状態に移行すると、弾性変形部が弾性復帰するので他方の端部が第一面側に向かい、閉状態において他方の端部が第一空間に露出するので、蓄光表示部材を簡単な構成とすることができる。
【００１２】
また、上記開閉体装置において、前記蓄光表示部材は、弾性部材を介して前記開閉体に設けられており、前記開状態において前記壁面に接触することで、前記弾性部材を弾性変形させて、前記第二面と対向するとともに前記収納部よりも前記第一空間側に位置し、前記閉状態において前記弾性部材が弾性復帰することで、前記第一面と対向するとともに前記第一空間に露出する位置となることが好ましい。
【００１３】
上記開閉体装置では、蓄光表示部材が弾性部材を介して開閉体に設けられているので、開状態において弾性変形部が弾性変形し、蓄光表示部材が第二面と対向して第一空間に露出することで、第一空間に照射される光を蓄光し、開閉体が開状態から開口部を閉塞する開状態に移行すると、弾性部材が弾性復帰するので蓄光表示部材が第一面側に向かい、閉状態において蓄光表示部材が第一面と対向して第一空間に露出するので、蓄光表示部材を簡単な構成とすることができる。
【００１４】
また、上記開閉体装置において、前記一方の端部は、前記第二面のうち、前記閉状態において前記第二空間に露出する位置に固定されていることが好ましい。
【００１５】
上記開閉体装置では、一方の端部が開状態において第一空間に照射される光を蓄光し、開閉体が開状態から閉状態に移行すると、第二空間に露出して、第二空間に向けて発光することができる。
【００１６】
また、上記開閉体装置において、前記閉状態において前記第二空間を形成する前記開閉体の面である第二面に設けられ、蓄光することで発光する第二面側蓄光表示部材をさらに備えることが好ましい。
【００１７】
上記開閉体装置では、第二面側蓄光表示部材が開状態において第一空間に照射される光を蓄光し、開閉体が開状態から閉状態に移行すると、第二空間に露出して、第二空間に向けて発光することができる。
【発明の効果】
【００１８】
本発明にかかる開閉体装置は、エネルギーの消費を抑制しつつ、閉状態における蓄光表示部材の視認性を確保することができるという効果を奏する。
【図面の簡単な説明】
【００１９】
【図１】図１は、第１実施形態に係る開閉体装置の配置の一例を示す図である。
【図２】図２は、開状態における蓄光表示部材を示す図である。
【図３】図３は、開状態から閉状態への移行時における蓄光表示部材を示す図である。
【図４】図４は、閉状態における蓄光表示部材を示す図である。
【図５】図５は、閉状態における開閉体を第一空間から見た図である。
【図６】図６は、第１実施形態の変形例を示す図である。
【図７】図７は、第２実施形態に係る開閉体装置の開状態における蓄光表示部材を示す図である。
【図８】図８は、閉状態における蓄光表示部材を示す図である。
【図９】図９は、第３実施形態に係る開閉体装置の開状態における蓄光表示部材を示す図である。
【図１０】図１０は、閉状態における蓄光表示部材を示す図である。
【図１１】図１１は、第４実施形態に係る開閉体装置の開状態における蓄光表示部材を示す図である。
【図１２】図１２は、閉状態における開閉体を第一空間から見た図である。
【発明を実施するための形態】
【００２０】
以下に、本発明の実施形態に係る開閉装置につき図面を参照しつつ詳細に説明する。なお、この実施形態によりこの発明が限定されるものではない。また、下記の実施形態における構成要素には、当業者が容易に想定できるもの或いは実質的に同一のものが含まれる。
【００２１】
〔第１実施形態〕
まず、第１実施形態に係る開閉体装置について説明する。図１は、第１実施形態に係る開閉体装置の配置の一例を示す図である。図２は、開状態における蓄光表示部材を示す図である。図３は、開状態から閉状態への移行時における蓄光表示部材を示す図である。図４は、閉状態における蓄光表示部材を示す図である。図５は、閉状態における開閉体を第一空間から見た図である。なお、図２〜図４は、開閉体を下方向に見た図である。
【００２２】
開閉体装置１−１は、図１に示すように、構造物１００に形成された開口部１０１を介して連通する空間を第一空間Ｓ１と第二空間Ｓ２とに区画するものである。開閉体装置１−１は、本実施形態では、火災時等の非常時に開口部１０１を閉塞する防火設備である。開閉体装置１−１は、開閉体２と、収納部３と、蓄光表示部材４とを備える。なお、開口部１０１は、本実施形態では、構造物１００の通路１０２（例えば非常時に避難通路となるもの）の途中に設けられる場合について説明するが、これに限定されるものではなく、通路に他の通路が連通する箇所、通路と外部とが連通する箇所などに設けられていてもよい。つまり、開口部１０１を介して連通する空間とは、構造物１００の内部に形成されるものに限られず、構造物１００の内部および外部にわたって形成されるものも含まれる。また、開口部１０１は、壁面材１０３を介して構造物１００に固定されている開口部用枠５により形成されている。開口部用枠５は、少なくとも通路１０２の幅方向において対向して形成される両壁面１０４ａ，１０４ｂと、上方向に形成される天井壁面に設けられている。開口部用枠５は、第一空間部Ｓ１から第二空間部Ｓ２に向かう方向（以下、単に「移動方向」と称する）視において通路１０２の床面まで延在して、下方向に開口するコ字状（略コ字状も含まれる）に形成されている。また、開口部用枠５は、開閉体２の後述する第二面２３が対向して接触することで、開閉体２の閉方向への移動を規制する規制部として段差部５１が壁面１０４ａ，１０４ｂおよび天井壁面に形成された部分に形成されている（一部、図示省略）。
【００２３】
開閉体２は、開閉方向に移動することによって、第一空間Ｓ１と第２空間Ｓ２とを連通する構造物１００の開口部１０１を開放あるいは閉塞するものである。ここで、開閉体２が開口部１０１を開放しており、収納部３に収納されている状態を開状態といい、開閉体２が開口部１０１を閉塞している状態を閉状態という。開閉体２は、矩形の片開きの開き戸であり、本実施形態では、平常時に開状態であり、非常時に自動あるいは手動で開口部１０１を随時閉塞することができる随時閉鎖式の防火戸である。開閉体装置１−１は、自動的に開閉体２によって開口部１０１を閉塞し、開閉体２を開状態から閉状態に移行させる後述する自動閉塞機構７を有しており、煙や熱を感知した場合に自動閉塞機構７が作動して開口部１０１を開閉体２により閉塞することができる。開閉体２は、開閉体２の上面２ａおよび下面２ｄ（図５参照）における吊り元側端部２ｃにおいて上下方向に向かってそれぞれ突出して形成された軸２１により、開口部１０１に対して回動自在に支持されている。開閉体２は、上下方向に延在する軸線を回転中心として回転できるように、構造物１００に支持されている。開閉体２には、図示しないドアクローザが設けられており、開閉体２に外力が加わっていない状態で、ドアクローザに内蔵されたばねにより開閉体２が閉方向に移動できるようにドアクローザにより付勢されている。
【００２４】
収納部３は、開状態における開閉体２を収納するものである。収納部３は、第一空間Ｓ１を形成する壁面、本実施形態では、通路１０２の幅方向のうち一方の端部に形成される壁面１０４ａに形成されている。収納部３は、壁面１０４ａを形成する壁面材１０３を幅方向に凹ませて形成した凹部１０５として形成されている。ここで、収納部３である凹部１０５の幅方向の深さは、開状態における開閉体２が移動方向視において通路１０２に突出しない程度に設定されている。収納部３は、壁面１０４ａを形成する壁面材１０３を介して構造物１００に固定されている収納部用枠６に囲まれている。つまり、収納部３は、収納部用枠６の内側に形成されている。収納部用枠６は、通路１０２の幅方向視において通路１０２の床面まで延在して、下方向に開口するコ字状に形成されている。収納部用枠６は、幅方向視において、開状態における収納部３と開閉体２との間に隙間Ｘが形成されるように設定されている。なお、凹部１０５を収納部３としたがこれに限定されるものではなく、壁面１０４ａに凹部１０５を形成せず、収納部用枠６を壁面１０４ａから通路１０２側に突出させ、収納部用枠６の内側に収納部３を形成しても良い。
【００２５】
蓄光表示部材４は、図２に示すように、開閉体２に設けられ、蓄光することで発光するものである。蓄光表示部材４は、蓄光材を含み形成されている。蓄光表示部材４は、シート状に形成されており、弾性を有し、平面となるように弾性復帰するものである。つまり、蓄光表示部材４は、変形可能なシート状に形成されている。蓄光表示部材４は、開閉体２に対して蓄光表示部材４が延設される方向、本実施形態では上下方向と直交する平面における他方の端部４ａが、閉状態において第一空間Ｓ１を形成する開閉体２の面である第一面２２に固定されている。他方の端部４ａは、第一面２２における戸先側端部２ｂに固定されている。また、蓄光表示部材４は、開閉体２の上下方向と直交する平面における一方の端部４ｂが、閉状態において第二空間Ｓ２を形成する開閉体２の面である第二面２３に固定されている。他方の端部４ｂは、第二面２３における戸先側端部２ｂに固定されている。つまり、蓄光表示部材４は、開閉体２の戸先側端部２ｂに、弾性変形した状態で設けられている。ここで、蓄光表示部材４は、一方の端部４ｂが第二面２３のうち、閉状態において第二空間Ｓ２に露出できる位置に固定されている。蓄光表示部材４は、開閉体２と蓄光表示部材４との間に空間部Ｃが形成されている。これにより、蓄光表示部材４は、外力が加わることで弾性変形することができる。また、蓄光表示部材４は、開閉体２の高さ（上面２ａから下面２ｄまでの距離）と同一あるいは若干短く（図５参照）なるように、上下方向の長さが設定されている。蓄光表示部材４は、少なくとも空間Ｃを形成する面とは反対側の面である表示面４ｃが蓄光材を含み形成されている。つまり、蓄光表示部材４は、表示面４ｃが蓄光することで発光するものである。蓄光表示部材４は、開状態において第一空間Ｓ１に露出する表示面４ｃの少なくとも一部が閉状態において第一空間Ｓ１に露出するように、他方の端部４ａから一方の端部４ｂまでの長さが設定されている。
【００２６】
蓄光表示部材４は、例えば、ベース部材に蓄光材を含有した塗料を塗布することで形成されてもよいし、予め蓄光材が含有された合成樹脂などの材料を用いて形成しても良い。ここで、蓄光材は、外部から光を蓄え発光する周知の物質である。
【００２７】
自動閉塞機構７は、図１に示すように、レリーズ７１とフック７２とを含んで構成されている。レリーズ７１は、収納部３において閉状態における開閉体２の第一面２２と対向して設けられている。レリーズ７１は、保持装置であり、フック７２を保持するものである。フック７２は、レリーズ７１に保持されるものであり、開閉体２の第一面２２のうち、閉状態においてレリーズ７１と対向する位置に設けられている。つまり、自動閉塞機構７は、閉状態においてフック７２をレリーズ７１により保持することで、開閉体２の閉状態を維持するものである。
【００２８】
次に、本実施形態に係る開閉体装置１−１の動作について説明する。開閉体装置１−１は、平常時に開閉体２の開状態を維持して開口部１０１を開放し、非常時に開閉体２を開状態から閉状態に移行させて、閉状態を維持して開口部１０１を閉塞する。
【００２９】
平常時の場合は、収納部３に開閉体２を収納した状態で、レリーズ７１によりフック７２を保持し、開閉体２の閉方向への移動を規制する。このとき、蓄光表示部材４は、図２に示すように、隙間Ｘにおいて収納部用枠６により弾性変形し、隙間Ｘを介して第一空間Ｓ１に露出した状態となる。従って、開状態において第一空間Ｓ１に露出した表示面４ｃ（他方の端部４ｂから隙間Ｘの手前の部分）は、収納部３、すなわち凹部１０５内に位置する部分（一方の端部４ａから隙間Ｘまでの部分）と比較して第１空間Ｓ１に照射される光を十分に蓄光することができる。
【００３０】
そして、非常時の場合は、図１に示すように、レリーズ７１により保持していたフック７２を解放する。上述のように、開閉体２の図示しないドアクローザによって開閉体２が閉方向に移動するように付勢されているため、図３に示すように、収納部３に収納されていた開閉体２が自重により閉方向に移動を開始する。このとき、蓄光表示部材４は、収納部用枠６による弾性変形から解放されるので弾性復帰しようとして変形する。さらに、開閉体２は、閉方向に移動し、図４に示すように、開閉体２の第二面２３が段差部５１と対向し、蓄光表示部材４を介して接触することで、閉状態が維持される。このとき、蓄光表示部材４は、閉状態における開閉体２と開口部用枠５との間に形成される隙間Ｙにおいて開口部用枠５により弾性変形し、一部（一方の端部４ａから隙間Ｙの手前の部分）が隙間Ｙを介して第一空間Ｓ１に露出した状態となる。つまり、開閉体２が開状態から閉状態に移行することで、図５に示すように、蓄光表示部材４が第一面２２側に向かって変化する。従って、開状態において第一空間Ｓ１に露出した表示面４ｃの少なくとも一部は、閉状態において第一空間Ｓ１に露出して光を蓄光した部分となるので、蓄光表示部材４のうち閉状態において第一空間Ｓ１に露出する部分が発光する。なお、開閉体２は、閉状態が自重により維持されているので、閉状態であってもユーザーが押したり引いたりすることで、開口部１０１を解放することができるので、第１空間Ｓ１と第２空間Ｓ２との間を行き来することができる。
【００３１】
以上のように、本実施形態に係る開閉体装置１−１では、開状態において蓄光表示部材４が第一空間Ｓ１に露出することで、第一空間Ｓ１に照射される光を蓄光し、開状態において第一空間Ｓ１に露出する部分の少なくとも一部が閉状態において第一空間Ｓ１に露出し、第一空間Ｓ１に向けて発光することができるので、閉状態における蓄光表示部材４の視認性を確保することができる。従って、閉状態において第一空間部Ｓ１にいるユーザーは、蓄光表示部材４を視認することで、開閉体２の第一面２２の位置を把握することができ、その後の行動、例えば第一空間Ｓ１から第二空間Ｓ２に移動するなどをとることができる。また、蓄光表示部材４は、開状態において第一空間Ｓ１に照射される光を蓄光するので、蓄光表示部材４に光を蓄光させるための光源を設けなくてもよく、エネルギーの消費を抑制することができる。
【００３２】
また、蓄光表示部材４の一方の端部４ｂは、第二面２３のうち、開状態において第二空間Ｓ２に露出する位置に固定されているので、開状態において第一空間Ｓ１に露出し、第一空間Ｓ１に照射される光を蓄光し、閉状態において第二空間Ｓ２に露出し、第二空間Ｓ２に向けて発光することができる。従って、閉状態において第二空間部Ｓ２にいるユーザーは、蓄光表示部材４を視認することで、開閉体２の第二面２３の位置を把握することができ、その後の行動、例えば第二空間Ｓ２から第一空間Ｓ１に移動するなどをとることができる。また、一つの蓄光表示部材４により、第一空間Ｓ１および第二空間Ｓ２に向けて発光するので、第一面２２および第二面２３の位置把握することができるので、各面ごとに蓄光表示部材４を設ける場合と比較して、部品点数を削減することができ、コストを削減することができる。
【００３３】
なお、上記実施形態では、収納部３である凹部１０５の深さを浅く、例えば、開状態における開閉体２が移動方向視において通路１０２に突出するように設定しても良い。これにより、開状態において蓄光表示部材４の表示面４ｃうち第一空間部Ｓ１に露出する部分が増加するので、表示面４ｃにおいて蓄光できる部分が増加し、閉状態において第一空間Ｓ１に露出する表示面４ｃにおいて十分な発光を得られる部分を増加することができる。これにより、閉状態における蓄光表示部材４の視認性を確保することができる。
【００３４】
また、上記実施形態では、蓄光表示部材４が弾性を有してシート状に形成されているが、変形可能であれば、弾性を有していなくてもよい。
【００３５】
〔第１実施形態の変形例〕
また、上記実施形態では、蓄光表示部材４が１枚のシート状に形成されているが本発明はこれに限定されるものではない。図６は、第１実施形態の変形例を示す図である。同図に示すように、蓄光表示部材４を途中から分割し、第一蓄光表示部材８と第二蓄光表示部材９としてもよい。第一蓄光表示部材８は、開閉体２の上下方向と直交する平面における一方の端部８ａが、第一面２２における戸先側端部２ｂに固定されている。第一蓄光表示部材８は、他方の端部８ｂが開状態において第一空間Ｓ１に露出するように、開閉体２の上下方向と直交する平面における長さが設定されている。第二蓄光表示部材９は、開閉体２の上下方向と直交する平面における一方の端部９ａが、第二面２３における戸先側端部２ｂのうち、開状態において第二空間Ｓ２に露出できる位置に固定されている。第二蓄光表示部材９は、他方の端部９ｂが開状態において第一空間Ｓ１に露出するように、開閉体２の上下方向と直交する平面における長さが設定されているまた、第一、二蓄光表示部材８，９は、開閉体２の高さ（上面２ａから下面２ｄまでの距離）と同一あるいは若干短くなるように、上下方向の長さが設定されている。第一、二蓄光表示部材８，９は、開閉体２側と反対側の面である表示面８ｃ，９ｃが蓄光材を含み形成されている。つまり、第一、二蓄光表示部材８，９は、表示面８ｃ，９ｃが蓄光することで発光するものである。この場合、第一蓄光表示部材８は、開状態において第一空間に照射される光を蓄光し、開閉体２が開状態から閉状態に移行することで、開口部用枠５により第一蓄光表示部材８が第一面２２側に向かって変形し、閉状態における開閉体２と開口部用枠５との間に形成される隙間Ｙに入らず、第一空間Ｓ１に露出した状態となり、第一空間に向けて発光することができる。また、第二蓄光表示部材９は、開状態において第一空間に照射される光を蓄光し、開閉体２が開状態から閉状態に移行すると、第二空間Ｓ２に露出して、第二空間Ｓ２に向けて発光することができる。
【００３６】
〔第２実施形態〕
次に、第２実施形態に係る開閉体装置について説明する。図７は、第２実施形態に係る開閉体装置の開状態における蓄光表示部材を示す図である。図８は、閉状態における蓄光表示部材を示す図である。図７〜図８に示す第２実施形態に係る開閉体装置１−２が図１〜図５に示す第１実施形態に係る開閉体装置１−１と異なる点は、蓄光表示部材１０が弾性変形部１０ｃを有し、弾性変形部１０ｃが弾性復帰することで、蓄光表示部材１０が第一面２２側に向かって変化する点である。なお、第２実施形態の基本的構成は、第１実施形態と同一であるので、その説明は省略或いは簡略化する。
【００３７】
蓄光表示部材１０は、図７に示すように、開閉体２に設けられ、蓄光することで発光するものである。蓄光表示部材１０は、蓄光材を含み形成されている。蓄光表示部材１０は、開閉体２に対して蓄光表示部材１０が延設される方向、本実施形態では上下方向と直交する平面における両端部１０ａ、１０ｂの間に弾性変形部１０ｃを有する。一方の端部１０ａは、第二面２３に固定されている。一方の端部１０ａは、第二面２３における戸先側端部２ｂに固定されている。なお、蓄光表示部材１０は、一方の端部１０ａから弾性変形部１０ｃまで第二面２３に固定されている。ここで、蓄光表示部材１０は、一方の端部１０ａが第二面２３のうち、閉状態において第二空間Ｓ２に露出できる位置に固定されている。他方の端部１０ｂは、第一接続部１０ｄ、第二接続部１０ｅを介して弾性変形部１０ｃに接続されている。蓄光表示部材１０の弾性変形部１０ｃよりも他方の端部１０ｂ側は、他方の端部１０ｂ、第一接続部１０ｄ、第二接続部１０ｅにより、開閉体２の上下方向と直交する平面においてコ字状に形成されている。弾性変形部１０ｃは、弾性変形、弾性復帰することで、他方の端部１０ｂを開閉体２に対して移動させるものである。蓄光表示部材１０は、開閉体２の高さと同一あるいは若干短くなるように、上下方向の長さが設定されている。蓄光表示部材１０は、少なくとも開閉体２と対向する面とは反対側の面である表示面１０ｆが蓄光材を含み形成されている。つまり、蓄光表示部材１０は、表示面１０ｆが蓄光することで発光するものである。蓄光表示部材１０は、弾性変形部１０ｃが弾性復帰することで第二接続部１０ｅが開閉体２と接触し（図８参照）、一方の端部１０ａと第二接続部１０ｅとが直線上となる。従って、弾性変形部１０ｃが弾性復帰することで、他方の端部１０ｂにおける表示面１０ｆが第一面２２と同じ側を向くこととなる。ここで、蓄光表示部材１０は、開状態において他方の端部１０ｂが隙間Ｘよりも収納部用枠６側に位置するように設定されている。
【００３８】
次に、本実施形態に係る開閉体装置１−２の動作について説明する。なお、第２実施形態における開閉体２の動作は、第１実施形態と同一であるので，その説明は省略或いは簡略化する。
【００３９】
平常時の場合は、開閉体２の開状態を維持して、開口部１０１を開放する。このとき、蓄光表示部材１０は、他方の端部１０ｂが開状態において隙間Ｘよりも収納部用枠６側に位置することから、図７に示すように、弾性変形部１０ｃが弾性変形し、他方の端部１０ｂが収納部用枠６を介して壁面１０４ａに接触して、表示面１０ｆのうち他方の端部１０ｂが第一空間Ｓ１に露出した状態となる。従って、開状態においては、表示面１０ｆがすべて第一空間Ｓ１に露出して、第１空間Ｓ１に照射される光を十分に蓄光することができる。
【００４０】
そして、非常時の場合は、開閉体２を開状態から閉状態に移行させて、閉状態を維持して、開口部１０１を閉塞する。収納部３に収納されていた開閉体２が閉方向に移動を開始すると、弾性変形部１０ｃは、収納部用枠６による弾性変形から解放されるので弾性復帰しようとして変形し、他方の端部１０ｂが第一面２２側に向かって移動することで、蓄光表示部材１０が第一面２２側に向かって変化する。さらに、開閉体２は、閉方向に移動し、図８に示すように、開閉体２の第二面２３が段差部５１と対向し、蓄光表示部材１０を介して接触することで、閉状態が維持される。このとき、蓄光表示部材１０は、弾性変形部１０ｃが弾性復帰することで、少なくとも他方の端部１０ｂが隙間Ｙよりも第一空間部Ｓ１側に位置し、第一空間Ｓ１に露出した状態となる。従って、他方の端部１０ｂにおける表示面１０ｆは、閉状態において第一空間Ｓ１に露出して光を蓄光した部分となるので、第一空間Ｓ１に向けて発光する。つまり、蓄光表示部材１０は、開状態において第一空間Ｓ１に露出する表示面１０ｆの少なくとも一部、本実施形態では、他方の端部１０ｂにおける表示面１０ｆが閉状態において第一空間Ｓ１に露出し、発光する。
【００４１】
以上のように、本実施形態に係る開閉体装置１−２では、第１実施形態と同様に、閉状態における蓄光表示部材１０の視認性を確保することができ、エネルギーの消費を抑制することができる。また、弾性変形部１０ｃを有する光を蓄光する部材を開閉体２に設けるのみで、閉状態において他方の端部４ｂが第一空間Ｓ１に向けて発光することができるので、蓄光表示部材１０を簡単な構成とすることができる。また、蓄光表示部材１０は、第二空間Ｓ２に向けて発光することができ、一つの蓄光表示部材１０により、第一空間Ｓ１および第二空間Ｓ２に向けて発光することができるので、部品点数を削減することができ、コストを削減することができる。
【００４２】
〔第３実施形態〕
次に、第３実施形態に係る開閉体装置について説明する。図９は、第３実施形態に係る開閉体装置の開状態における蓄光表示部材を示す図である。図１０は、閉状態における蓄光表示部材を示す図である。図９〜図１０に示す第３実施形態に係る開閉体装置１−３が図１〜図５に示す第１実施形態に係る開閉体装置１−１と異なる点は、蓄光表示部材１１が弾性部材１２を有し、弾性部材１２が弾性復帰することで、蓄光表示部材１１が第一面２２側に向かって変化する点である。なお、第３実施形態の基本的構成は、第１実施形態と同一であるので、その説明は省略或いは簡略化する。
【００４３】
蓄光表示部材１１は、図９に示すように、弾性部材１２を介して開閉体２に設けられ、蓄光することで発光するものである。蓄光表示部材１１は、蓄光材を含み形成されている。蓄光表示部材１１は、表示部１１ａと支持部１１ｂとにより構成されている。表示部１１ａは、平板状に形成されており、開閉体２の上下方向における両端部に支持部１１ｂが設けられている。表示部１１ａは、本実施形態では、開閉体２の高さと同一となるように、上下方向の長さが設定されている。表示部１１ａは、少なくとも支持部１１ｂが設けられている側とは反対側の面である表示面１１ｃが蓄光材を含み形成されている。つまり、蓄光表示部材１１は、表示面１１ｃが蓄光することで発光するものである。支持部１１ｂは、開閉体２の戸先側端部２ｂにおける上面と下面において開閉体２と対向し、開閉体２に対して回転自在に支持されている。従って、蓄光表示部材１１は、開閉体２に対して回転することで、表示部１１ａが第一面２２および第二面２３と対向することが可能である。ここで、蓄光表示部材１１は、開状態において表示部１１ａの他方の端部が隙間Ｘよりも収納部用枠６側に位置するように設定されている。
【００４４】
弾性部材１２は、弾性を有する部材であり、蓄光表示部材１１の開閉体２に対する回転に応じて弾性変形するものである。弾性部材１２は、蓄光表示部材１１が第一面２２側から第二面２３側に向かう方向に回転する際に弾性変形し、第二面２３側から第一面２２側に向かう方向に回転する際に弾性復帰するものである。弾性部材１２は、一方の端部が蓄光表示部材１１に固定され、他方の端部が開閉体２に固定されている。
【００４５】
また、第二面２３には、蓄光することで発光する第二面側蓄光表示部材１３が設けられている。第二面側蓄光表示部材１３は、閉状態において第二面２３のうち、閉状態において第二空間Ｓ１に露出する位置に固定されている。
【００４６】
次に、本実施形態に係る開閉体装置１−３の動作について説明する。なお、第３実施形態における開閉体２の動作は、第１実施形態と同一であるので，その説明は省略或いは簡略化する。
【００４７】
平常時の場合は、開閉体２の開状態を維持して、開口部１０１を開放する。このとき、蓄光表示部材１１は、表示部１１ａの一方の端部が開状態において隙間Ｘよりも収納部用枠６側に位置することから、図９に示すように、弾性部材１２が弾性変形し、表示部１１ａの一方の端部が収納部用枠６を介して壁面１０４ａに接触して、表示部１１ａが第二面２３と対向することで、表示面１１ｃが第一空間Ｓ１に露出した状態となる。従って、開状態においては、表示面１１ｃがすべて第一空間Ｓ１に露出して、第１空間Ｓ１に照射される光を十分に蓄光することができる。また、開状態においては、第二面側蓄光表示部材１３が第一空間Ｓ１に露出した状態となるので、第二面側蓄光表示部材１３が第１空間Ｓ１に照射される光を十分に蓄光することができる。
【００４８】
そして、非常時の場合は、開閉体２を開状態から閉状態に移行させて、閉状態を維持して、開口部１０１を閉塞する。収納部３に収納されていた開閉体２が閉方向に移動を開始すると、弾性部材１２は、収納部用枠６による弾性変形から解放されるので弾性復帰しようとして変形し、表示部１１ａが第一面２２側に向かって移動することで、蓄光表示部材１１が第一面２２側に向かって変化する。さらに、開閉体２は、閉方向に移動し、図１０に示すように、開閉体２の第二面２３が段差部５１と対向し、接触することで、閉状態が維持される。このとき、蓄光表示部材１１は、弾性部材１２が弾性復帰することで、表示部１１ａが第一面２２と対向することで、表示面１１ｃが第一空間Ｓ１に露出した状態となる。従って、表示面１１ｃは、閉状態において第一空間Ｓ１に露出して光を蓄光した部分となるので、第一空間Ｓ１に向けて発光する。つまり、蓄光表示部材１１は、開状態において第一空間Ｓ１に露出する表示面１１ｃが閉状態において第一空間Ｓ１に露出し、発光する。また、開状態においては、第二面側蓄光表示部材１３が第二空間Ｓ２に露出した状態となるので、第二面側蓄光表示部材１３が第二空間Ｓ２に向けて発光する。
【００４９】
以上のように、本実施形態に係る開閉体装置１−３では、第１実施形態と同様に、閉状態における蓄光表示部材１１の視認性を確保することができ、エネルギーの消費を抑制することができる。また、弾性部材１２を介して光を蓄光する部材を開閉体２に設けるのみで、閉状態において蓄光表示部材１１が第一空間Ｓ１に向けて発光することができるので、蓄光表示部材１１を簡単な構成とすることができる。
【００５０】
また、第二面２３に第二面側蓄光表示部材１３を設けるので、開状態において第一空間Ｓ１に露出し、第一空間Ｓ１に照射される光を蓄光し、閉状態において第二空間Ｓ２に露出し、第二空間Ｓ２に向けて発光することができる。従って、閉状態において第二空間部Ｓ２にいるユーザーは、第二面側蓄光表示部材１３を視認することで、開閉体２の第二面２３の位置を把握することができ、その後の行動、例えば第二空間Ｓ２から第一空間Ｓ１に移動するなどをとることができる。
【００５１】
なお、上記第１〜３実施形態では、蓄光表示部材４，１０，１１が開閉体２の戸先側端部２ｂに設けられているが、本発明はこれに限定されるものではなく、開閉体２が閉状態から開状態に移行すると、閉状態において第一面２２側に蓄光表示部材４，１０，１１が向かって変化することができれば、例えば開閉体２の上側端部、あるいは戸先側端部２ｂおよび上側端部に設けても良い。
【００５２】
〔第４実施形態〕
次に、第４実施形態に係る開閉体装置について説明する。図１１は、第４実施形態に係る開閉体装置の開状態における蓄光表示部材を示す図である。図１２は、閉状態における開閉体を第一空間から見た図である。図１１〜図１２に示す第４実施形態に係る開閉体装置１−４が図１〜図５に示す第１実施形態に係る開閉体装置１−１と異なる点は、蓄光表示部材１４が隙間Ｘにより弾性変形し、弾性復帰することで、他方の端部１４ｂが第一面２２側に向かって変化する点である。なお、第４実施形態では、蓄光表示部材１４を開閉体２の上側端部に設ける場合について説明するがこれに限定されるものではなく、開閉体２の戸先側端部、あるいは戸先側端部および上側端部の両方に設けても良い。第４実施形態の基本的構成は、第１実施形態と同一であるので，その説明は省略或いは簡略化する。
【００５３】
収納部用枠６は、図１１に示すように、開閉体２の上面２ａと対向する面が第一空間Ｓ１側に向かうに伴い隙間Ｘが広がるように傾斜面６１で形成されている。
【００５４】
蓄光表示部材１４は、シート状に形成されており、弾性を有し、開閉体２に対して蓄光表示部材１４が延設される方向、本実施形態では幅方向と直交する平面においてＬ字状（略Ｌ字状も含まれる）となるように弾性復帰するものである。つまり、蓄光表示部材１４は、変形可能なシート状に形成されている。蓄光表示部材１４は、開閉体２の幅方向と直交する平面における一方の端部１４ａが、上面２ａに固定されている。一方の端部１４ａは、上面２ａにおける第一面２２側に固定されている。また、蓄光表示部材１４は、開閉体２の幅方向と直交する平面における他方の端部１４ｂが、一方の端部１４ａから第一面２２側に延在して形成されている。蓄光表示部材４は、他方の端部１４ｂが開閉体２の上面２ａの厚さ方向における一方の端部、すなわち第一面２２側の端部よりも第一面２２側に位置し、開状態において第一空間Ｓ１に露出する表示面１４ｃの少なくとも一部が閉状態において第一空間Ｓ１に露出するように、一方の端部１４ａから他方の端部１４ｂまでの長さが設定されている。また、蓄光表示部材１４は、開閉体２の幅と同一あるいは若干短く（図１２参照）なるように、幅方向の長さが設定されている。蓄光表示部材１４は、開閉体２と対向する面とは反対側の面である表示面１４ｃが蓄光材を含み形成されている。つまり、蓄光表示部材１４は、表示面１４ｃが蓄光することで発光するものである。
【００５５】
また、第二面２３には、蓄光することで発光する第二面側蓄光表示部材１５が設けられている。第二面側蓄光表示部材１５は、閉状態において第二面２３のうち、閉状態において第二空間Ｓ１に露出する位置に固定されている。
【００５６】
次に、本実施形態に係る開閉体装置１−４の動作について説明する。なお、第４実施形態における開閉体２の動作は、第１実施形態と同一であるので、その説明は省略或いは簡略化する。
【００５７】
平常時の場合は、開閉体２の開状態を維持して、開口部１０１を開放する。このとき、蓄光表示部材１４は、他方の端部１４ｂが開状態において隙間Ｘに位置することから、図１１に示すように、他方の端部１４ｂが収納部用枠６の傾斜面６１に接触することで、弾性変形し、表示面１４ｃが第一空間Ｓ１に露出した状態となる。従って、開状態においては、表示面１４ｃがすべて第一空間Ｓ１に露出して、第１空間Ｓ１に照射される光を十分に蓄光することができる。また、傾斜面６１により隙間Ｘの幅方向視において第一空間Ｓ１からの光が入射される面積を広くすることができる。従って、他方の端部１４ｂが傾斜面６１に接触した状態で、多くの光を表示面１４ｃに照射することができる。また、開状態においては、第二面側蓄光表示部材１５が第一空間Ｓ１に露出した状態となるので、第二面側蓄光表示部材１５が第１空間Ｓ１に照射される光を十分に蓄光することができる。
【００５８】
そして、非常時の場合は、開閉体２を開状態から閉状態に移行させて、閉状態を維持して、開口部１０１を閉塞する。収納部３に収納されていた開閉体２が閉方向に移動を開始すると、蓄光表示部材１４は、傾斜面６１による弾性変形から解放されるので弾性復帰しようとして変形し、他方の端部１４ｂが第一面２２側に向かって移動することで、蓄光表示部材１４が第一面２２側に向かって変化する。さらに、開閉体２は、閉方向に移動し、開閉体２の第二面２３が段差部５１と対向し、接触することで、閉状態が維持される。このとき、蓄光表示部材１４は、図１２に示すように、弾性復帰することで、他方の端部１４ｂが第一面２２と対向することで、他方の端部１４ｂにおける表示面１４ｃが第一空間Ｓ１に露出した状態となる。従って、表示面１４ｃは、閉状態において第一空間Ｓ１に露出して光を蓄光した部分となるので、第一空間Ｓ１に向けて発光する。つまり、蓄光表示部材１４は、開状態において第一空間Ｓ１に露出する表示面１４ｃが閉状態において第一空間Ｓ１に露出し、発光する。また、開状態においては、第二面側蓄光表示部材１５が第二空間Ｓ２に露出した状態となるので、第二面側蓄光表示部材１５が第二空間Ｓ２に向けて発光する。
【００５９】
以上のように、本実施形態に係る開閉体装置１−４では、第１実施形態と同様に、閉状態における蓄光表示部材１４の視認性を確保することができ、エネルギーの消費を抑制することができる。
【００６０】
また、第二面２３に第二面側蓄光表示部材１５を設けるので、第３実施形態と同様に、閉状態において第二面側蓄光表示部材１５が第二空間Ｓ２に向けて発光することができる。
【００６１】
なお、上記第１〜４実施形態では、蓄光表示部材４，１０，１１，１４は、単に発光する場合について説明したが本発明はこれに限定されるものではない。例えば、蓄光表示部材４，１０，１１，１４は、単に開閉体２の使用目的等を示す文字（例えば「非常口」や「避難口」、「ＥＸＩＴ」等）や図柄、開閉体２の開放方法を示す文字（例えば「引く」や「ＰＵＬＬ」等）や図柄とされる。蓄光表示部材４，１０，１１，１４は、予め蓄えた光によって発光することができるため、非常時に停電等によって室内照明が消灯したような場合であっても、避難者等によって視認可能である。すなわち、蓄光式の蓄光表示部材４，１０，１１，１４は、電力の供給を必要とせずに発光することができ、照明が無くても視認可能であるため、非常時の表示手段として優れている。
【００６２】
また、開閉体２が矩形の片開きの開き戸であったが、両開きの開き戸であっても、くぐり戸であってもよい。また、開閉体２は、防火戸以外であってもよい。すなわち、開口部１０１を開放あるいは閉塞する開閉体２であって、通常は収納部３に収納され、随時開口部１０１を閉塞する防火戸以外の開閉体に対しても本実施形態を適用可能である。
【００６３】
また、上記各実施形態および変形例に開示された内容は、適宜組み合わせて実行することができる。
【符号の説明】
【００６４】
１−１〜１−４  開閉体装置
２  開閉体
２２  第一面
２３  第二面
３  収納部
４，８，９，１４  蓄光表示部材
４ａ，４ｂ，８ａ、８ｂ，９ａ，９ｂ，１４ａ，１４ｂ  端部
４ｃ，８ｃ，９ｃ，１４ｃ  表示面
５  開口部用枠
５１  段差部
６  収納部用枠
７  自動閉塞機構
７１  レリーズ
７２  フック
１０  蓄光表示部材
１０ａ，１０ｂ  端部
１０ｃ  弾性変形部
１０ｅ  表示面
１１  蓄光表示部材
１２  弾性部材
１３，１５  第二面側蓄光表示部材
１００  構造物
１０１  開口部
１０４ａ  壁面
Ｓ１  第一空間
Ｓ２  第二空間
Ｘ，Ｙ  隙間
【図１】
2013174109.tif 000003
【図２】
2013174109.tif 000004
【図３】
2013174109.tif 000005
【図４】
2013174109.tif 000006
【図５】
2013174109.tif 000007
【図６】
2013174109.tif 000008
【図７】
2013174109.tif 000009
【図８】
2013174109.tif 000010
【図９】
2013174109.tif 000011
【図１０】
2013174109.tif 000012
【図１１】
2013174109.tif 000013
【図１２】
2013174109.tif 000014